(57)【要約】【課題】回路遮断器の小型化を図りつつ、組み立てが容易な回路遮断器を提供する。【解決手段】回路遮断器１０は、ハウジング２０と、ハウジング２０に配置される複数の負荷側端子４０と、引外し機構を駆動する電磁力を発生する複数の電磁コイル９１と、を備える。回路遮断器１０では、複数の電磁コイル９１における巻き線部分の巻回中心Ｃ１，Ｃ２，Ｃ３と、複数の電源側端子３０又は複数の負荷側端子４０が配置される方向におけるそれぞれの端子の幅中心Ｌ１，Ｌ２，Ｌ３と、を複数の電磁コイル９１が配列される方向において同じ側にずらして配置する。【選択図】図２
2020123553.tif 000002
【特許請求の範囲】
【請求項１】
回路遮断器であって、
ハウジングと、
前記ハウジングに配置される複数の電源側端子と、
前記ハウジングに配置される複数の負荷側端子と、
前記ハウジングに配置され、前記電源側端子と前記負荷側端子とを繋ぐ電路を遮断する引外し機構を駆動する電磁力を発生する複数の電磁コイルと、を備え、
前記複数の電磁コイルにおける巻き線部分の巻回中心と、前記複数の電源側端子又は前記複数の負荷側端子が配置される方向におけるそれぞれの端子の幅中心と、を前記複数の電磁コイルが配列される方向において同じ側にずらして配置している、回路遮断器。
【請求項２】
請求項１に記載の回路遮断器であって、
前記複数の電磁コイルは互いに同一の形態である、回路遮断器。
【請求項３】
請求項２に記載の回路遮断器であって、
前記複数の電磁コイルはそれぞれ、前記巻き線部分の一端に繋がることで前記引外し機構と接続する機構側接続部を有し、
前記機構側接続部は、前記複数の電磁コイルの中で前記ハウジングに最も近接して設けられる電磁コイルにおいて、前記ハウジングから前記巻回中心を挟んで反対側に位置するように設けられている、回路遮断器。
【請求項４】
請求項３に記載の回路遮断器であって、
前記機構側接続部は、前記巻き線部分の外周接線方向に延びる第１部分と、前記第１部分に繋がり前記巻回中心が延びる方向に沿う第２部分と、を有する、回路遮断器。
【請求項５】
請求項３又は４に記載の回路遮断器であって、
前記複数の電磁コイルはそれぞれ、前記複数の電源側端子又は前記複数の負荷側端子に繋がる端子側接続部を有し、
前記機構側接続部と前記端子側接続部とが、前記巻き線部分の一端側と多端側とに設けられ、前記巻回中心を見通す方向において重なるように設けられている、回路遮断器。
【請求項６】
請求項５に記載の回路遮断器であって、
前記端子側接続部は、前記巻き線部分の外周接線方向に延びる第３部分と、前記第３部分に繋がり前記巻回中心が延びる方向に沿う第４部分と、を有する、回路遮断器。
【請求項７】
請求項６に記載の回路遮断器であって、
前記機構側接続部及び前記端子側接続部は、前記巻き線部分に対する相対的な姿勢が同じになるように形成される、回路遮断器。
【発明の詳細な説明】
【技術分野】
【０００１】
本開示は、回路遮断器に関する。
【背景技術】
【０００２】
回路遮断器は、電気回路に過負荷電流や短絡電流が流れた場合に、回路を遮断するため
に用いられる機器である。特許文献１には、電源側端子と負荷側端子の電気的接続を、機構部と電磁引外し装置によって遮断する回路遮断器が示されている。
【先行技術文献】
【特許文献】
【０００３】
【特許文献１】特開２００３−１３２７７５号公報
【発明の概要】
【発明が解決しようとする課題】
【０００４】
特許文献１に記載の回路遮断器は、ハウジングの内部に機構部品及び配線を適切に収容することにより組み立てられる。回路遮断器には、小型化が求められている。そのため、機構部品及び配線は、ハウジングの内部になるべき隙間を少なくするように密な状態で収容されるように組み立てられる。
【０００５】
回路遮断器の組み立て時に、回路遮断器の引外し機構を駆動するための電磁コイルを、配線及び負荷側端子と接続する作業がある。この作業は、例えば、溶接によって行われる。ハウジングの内部に密な状態で部品が収容されることから、この溶接作業にあたって、電磁コイルとハウジングとの間のスペースが狭くなっている状態で行う場合がある。電磁コイルの溶接部位とハウジングの側壁面とが近接している状況で溶接作業を行うことは、回路遮断器の組立作業を難しくしている。
【０００６】
この状況に対応するため、電磁コイルの溶接部位がハウジングの側壁面から離れた位置となるように、電磁コイルの形態を変更することが考えられる。しかしながら、電磁コイルはハウジングの幅方向に複数個収容されており、電磁コイルの形態は全て同じものである。そのため、ハウジングの一方の側壁面に近接している電磁コイルの溶接部位が離れるように電磁コイルの形態に工夫を加えると、ハウジングの他方の側壁面に近接している電磁コイルの溶接部位が近づくことになる。
【０００７】
一方、ハウジングの一方の側壁面に近接している電磁コイルと、ハウジングの他方の側壁面に近接している電磁コイルとの形態を異ならせ、それぞれの溶接部位がハウジングの側壁面から離れるようにすることも考えられる。しかしながら、異なる形態の電磁コイルを混在させると、部品管理負荷の増大に対応する必要やハウジングへの組付の際の取り違え防止に対応する必要が出てくるため、回路遮断器の組立作業を別の観点で難しくすることに繋がる。
【０００８】
本開示は、回路遮断器の小型化及び部品の共通化を図りつつ、容易に組み立てることができる回路遮断器を提供することを目的とする。
【課題を解決するための手段】
【０００９】
本開示に係る回路遮断器は、ハウジングと、ハウジングに配置される複数の電源側端子と、ハウジングに配置される複数の負荷側端子と、ハウジングに配置され、電源側端子と負荷側端子とを繋ぐ電路を遮断する引外し機構を駆動する電磁力を発生する複数の電磁コイルと、を備える。回路遮断器では、複数の電磁コイルにおける巻き線部分の巻回中心と、複数の電源側端子又は複数の負荷側端子が配置される方向におけるそれぞれの端子の幅中心と、を複数の電磁コイルが配列される方向において同じ側にずらして配置している。
【００１０】
複数の電磁コイルと複数の電源側端子又は複数の負荷側端子との位置関係を、巻回中心と幅中心とが同じ方向にずれるようにすることで、複数の電磁コイルで最も外側に配置されている電磁コイルの一方はハウジングの一方の側壁面に近づき他方はハウジングの他方の側壁面から離れる。ハウジングの一方の側壁面に近づく電磁コイルの引外し機構との接続部位を側壁面から離れた位置に設けることで、溶接といった組立作業を行うための空間を確保することができる。ハウジングの他方の側壁面から離れる電磁コイルは、ハウジングの一方の側壁面に近づく電磁コイルと同じものを用いるので、電磁コイルの引外し機構との接続部位はハウジングの他方の側壁面に対向するように配置される。しかしながら、この電磁コイルは側壁面から離れるように設けられることになるため、接続部位と側壁面との間に溶接といった組立作業を行うための空間を確保することができる。複数の電磁コイルと複数の電源側端子又は複数の負荷側端子との位置関係を工夫するといった簡単な手法で、電磁コイルの部品共通化を図りつつ回路遮断器の小型化も可能となり、回路遮断器を容易に組み立てることも可能となる。
【００１１】
本開示において、複数の電磁コイルは互いに同一の形態であることも好ましい。
【００１２】
この好ましい態様では、複数の電磁コイルが互いに同一の形態であるとすることで、回路遮断器を組み立てる際に個々の電磁コイルを区別することなく取り扱うことができ、部品管理が容易なものとなる。複数の電磁コイルを互いに同一の形態としても、上記した複数の電磁コイルと複数の電源側端子又は複数の負荷側端子との位置関係を工夫することは阻害されず、同様の作用効果を奏することができる。
【００１３】
本開示において、複数の電磁コイルはそれぞれ、巻き線部分の一端に繋がり、引外し機構と接続する機構側接続部を有し、機構側接続部は、複数の電磁コイルの中でハウジングの側壁に最も近接して設けられる電磁コイルにおいて、側壁から巻回中心を挟んで反対側に位置するように設けられていることも好ましい。
【００１４】
この好ましい態様では、ハウジングの側壁に最も近接して設けられる電磁コイルにおいて、機構側接続部を巻回中心よりも側壁から引き離して配置することができるので、十分な組み立てスペースを確保することができる。同一形態の電磁コイルを反対側の側壁近傍に配置する際には、機構側接続部が側壁に近い側に配置されることになるが、電磁コイルは側壁から離隔することになるので、十分な組み立てスペースを確保することができる。
【００１５】
本開示において、機構側接続部は、巻き線部分の外周接線方向に延びる第１部分と、第１部分に繋がり巻回中心が延びる方向に沿う第２部分と、を有することも好ましい。
【００１６】
この好ましい態様では、第１部分が巻き線部分の外周接線方向に延びているので、第１部分は巻き線形成を止めることで簡便に形成することができる。第２部分は第１部分に繋がっているので、第１部分を形成してからその先端を折り曲げることで簡便に形成することができる。
【００１７】
本開示において、複数の電磁コイルはそれぞれ、複数の電源側端子又は複数の負荷側端子に繋がる端子側接続部を有し、機構側接続部と端子側接続部とが、巻き線の一端側と多端側とに設けられ、巻回中心を見通す方向において重なるように設けられていることも好ましい。
【００１８】
この好ましい態様では、機構側接続部と端子側接続部とが、巻回中心を見通す方向において重なるように設けられているので、ずらし配置の場合に、端子側接続部及び機構側接続部を確実にハウジングの側壁から離して配置することができ、組み立てが容易になる。
【００１９】
本開示において、端子側接続部は、巻き線部分の外周接線方向に延びる第３部分と、第３部分に繋がり巻回中心が延びる方向に沿う第４部分と、を有することも好ましい。
【００２０】
この好ましい態様では、第３部分が巻き線部分の外周接線方向に延びているので、第３部分は巻き線形成を止めることで簡便に形成することができる。第４部分は第３部分に繋がっているので、第３部分を形成してからその先端を折り曲げることで簡便に形成することができる。更に、電磁コイルを電源側端子又は負荷側端子からずらすように配置した場合であっても、第４部分を設けることで、端子側接続部と電源側端子又は負荷側端子との接触面積を確保することができる。接触面積を確保することで、端子側接続部と電源側端子又は負荷側端子とを確実に接続することができる。
【００２１】
本開示において、機構側接続部及び端子側接続部は、巻き線部分に対する相対的な形態が同じになるように形成されることも好ましい。
【００２２】
この好ましい態様では、電磁コイルの両端の検査を同様の手順で行うことができ、部品検査の負担を軽減することができる。組み立ての際も、電磁コイルの方向性が無くなるので、より容易に回路遮断器を組み立てることができる。
【発明の効果】
【００２３】
本開示によれば、回路遮断器の小型化を図りつつ、組み立てが容易な回路遮断器を提供することができる。
【図面の簡単な説明】
【００２４】
【図１】図１は、本実施形態に係る回路遮断器の断面図である。
【図２】図２は、本実施形態に係る回路遮断器内部の平面図である。
【図３】図３は、本実施形態に係る回路遮断器内部の斜視図である
【図４】図４は、本実施形態に係る回路遮断器における、電磁コイルの設置状態を示す図である。
【発明を実施するための形態】
【００２５】
以下、添付図面を参照しながら本実施形態について説明する。説明の理解を容易にするため、各図面において同一の構成要素に対しては可能な限り同一の符号を付して、重複する説明は省略する。
【００２６】
本実施形態に係る回路遮断器１０について説明する。図１及び図２を参照しながら、本実施形態である回路遮断器１０の構成について説明する。図１は、本実施形態に係る回路遮断器１０の主要部分における断面図である。図２は、カバーを取り外した状態の回路遮断器１０を、図１の矢印ＩＩの方向から見た平面図である。図２では、一部の部材を選んで図示している。
【００２７】
回路遮断器１０は、ハウジング２０、電源側端子３０、負荷側端子４０、可動接触子５０、セパレータ６０、ハンドル７０、及び電磁機構部９０を備えている。図１においては、紙面を貫く方向にそってｘ軸を、電源側端子３０から負荷側端子４０に向かう方向に沿ってｙ軸を、ｘ軸及びｙ軸に直交する方向にｚ軸を、それぞれ設定している。図２以降においても同様にｘ軸、ｙ軸、ｚ軸を設定して説明する。
【００２８】
ハウジング２０は、基台２１と、カバー２２とを備えている。基台２１とカバー２２とが組み立てられることで、内部空間が設けられたハウジング２０が形成される。基台２１には、電源側端子３０、負荷側端子４０、可動接触子５０、セパレータ６０、ハンドル７０、配線８１、電磁機構部９０が各組付位置に組み付けられている。カバー２２は基台２１に組み付けられ、基台２１に設けられた各種部品を外部環境から保護する。
【００２９】
ハウジング２０は、第１壁部２０１と、第２壁部２０２と、第３壁部２０３と、第４壁部２０４と、第５壁部２０５と、第６壁部２０６と、を備えている。第１壁部２０１と第２壁部２０２とは互いに対向するように配置されている。第３壁部２０３と第４壁部２０４とは互いに対向するように配置されている。第５壁部２０５と第６壁部２０６とは互いに対向するように配置されている。
【００３０】
回路遮断器１０が分電盤のベース板といった取付部分に取り付けられた場合に、第１壁部２０１は電路の電源側に配置され、第２壁部２０２は電路の負荷側に配置され、第４壁部２０４はベース板側に配置される。第３壁部２０３、第４壁部２０４は、第１壁部２０１と第２壁部２０２とを繋ぐように設けられている。第５壁部２０５及び第６壁部２０６は、第１壁部２０１、第２壁部２０２、第３壁部２０３、及び第４壁部２０４によって形作られる一対の開口部をふさぐように設けられる。
【００３１】
電源側端子３０は、電路の電源側配線（不図示）が繋がれる端子金具である。負荷側端子４０は、電路の負荷側配線（不図示）が繋がれる端子金具である。電源側端子３０及び負荷側端子４０は、それぞれハウジング２０の電源側及び負荷側において露出するように設けられている。
【００３２】
電源側端子３０は、電源側端子座３１と、固定接触子３２と、ねじ３４と、金具３５と、を備えている。電源側端子座３１は、電源側配線と繋がる座部分を構成している。電源側配線は、金具３５と電源側端子座３１との間に配置され、ねじ３４によって電源側端子３０に取り付けられる。
【００３３】
固定接触子３２は、可動接触子５０との接点となる固定接触子部分を構成する。接続部分３３は、電源側端子座３１と固定接触子３２とを接続する部分である。固定接触子３２は、基台２１の取付部２１１に取り付けられている。電源側端子座３１、固定接触子３２及び接続部分３３は、例えば導電性の板状の金属部材により一体的に構成されている。
【００３４】
電源側端子３０は、ハウジング２０の第１壁部２０１からハウジング２０の内部に向かうように配置されている。固定接触子３２には、固定接点３２１が設けられている。
【００３５】
負荷側端子４０は、負荷側端子座４１と、ねじ４２と、金具４３と、を備えている。負荷側端子４０は、ハウジング２０の第２壁部２０２からハウジング２０の内部に向かうように配置される。負荷側端子座４１は、第２壁部２０２において外部に露出するように、負荷側端子４０の一端部に設けられる。負荷側端子座４１には負荷側配線（不図示）が取り付けられる。負荷側配線は、金具４３と負荷側端子座４１との間に配置され、ねじ４２によって負荷側端子４０に取り付けられる。
【００３６】
可動接触子５０は、可動接点５１と突出部５２とを有する、可動接触子５０は、後述するセパレータ６０によって保持された状態で、回路遮断器１０内部に配置される。可動接点５１は、固定接点３２１と対向可能に、可動接触子５０の電源側端子座３１側に設けられる。突出部５２は、可動接触子５０が取付部２１１と対向する面から取付部２１１へ向かうように設けられる。突出部５２は、電源側端子座３１よりは負荷側端子座４１側に位置するように設けられる。
【００３７】
セパレータ６０は、先端部６１、軸部６２、内壁部６３、及び接点圧スプリング６４を有する。セパレータ６０は、回路遮断器１０内部に組付けられている。先端部６１は、後述する押圧部材７１と当接するように形成されている。軸部６２は、セパレータ６０がハウジング２０に支持されるように、セパレータ６０の一端部に設けられる。セパレータ６０は、軸部６２の中心軸である回転軸ｍを中心に回転可能である。内壁部６３は、可動接触子５０と当接するように形成されている。
【００３８】
接点圧スプリング６４は、取付部２１１と可動接触子５０との間に配置されている。接点圧スプリング６４は、突出部５２に対して嵌め合わされている。接点圧スプリング６４は圧縮された状態に保たれている。接点圧スプリング６４が可動接触子５０を内壁部６３に対して押し付けることで、可動接触子５０はセパレータ６０に保持される。
【００３９】
ハンドル７０は、ハウジング２０の第３壁部２０３から突出するように設けられる。押圧部材７１は、先端部６１に当接するように配置されている。ハンドル７０の移動によって、ハウジング２０の内部に設けられたリンク機構（不図示）が押圧部材７１を駆動する。押圧部材７１は、セパレータ６０を押し付けつつ移動することで、可動接触子５０を駆動する。押圧部材７１は、電路が遮断される非導通状態から電路が接続される導通状態へと遷移した場合、ハウジング２０内部のリンク機構によって、移動が制限されたロック状態となる。
【００４０】
配線８１は、ハウジング２０の内部に設けられている。配線８１は、可動接触子５０の端部と、後述する電磁コイル９１の機構側接続部９１２とを接続する。円筒状の零相変流器８２が、ハウジング２０の内部に設けられている。配線８１は、零相変流器８２の内側を通るように配置されている。なお、零相変流器８２を有しない回路遮断器の場合、零相変流器を通さずに、可動接触子５０と電磁コイル９１とを接続することができる。
【００４１】
電磁機構部９０は、電磁コイル９１、可動磁気片９２、オイルダッシュポット９３、継鉄９４、スプリング９５、及び掛合片９６を有する。電磁機構部９０は、ハウジング２０の内部に収容される。
【００４２】
電磁コイル９１は、巻き線部分９１１と、機構側接続部９１２と、端子側接続部９１３と、を有する。
【００４３】
機構側接続部９１２は、巻き線部分９１１の一端側に設けられる。機構側接続部９１２は、巻き線部分９１１の外周接線方向に伸びる第１部分９１２１を有する。機構側接続部９１２は、第１部分９１２１に繋がり、巻き線部分９１１の巻回中心に沿う第２部分９１２２を有する。機構側接続部９１２は、巻き線部分９１１から第４壁部２０４側に向かうように形成されている。
【００４４】
端子側接続部９１３は、巻き線部分９１１の他端側に設けられる。端子側接続部９１３は、巻き線部分９１１の外周接線方向に伸びる第３部分９１３１を有する。機構側接続部９１２は、第３部分９１３１に繋がり、巻き線部分９１１の巻回中心に沿う第４部分９１３２を有する。端子側接続部９１３は、巻き線部分９１１から第３壁部２０３に向かうように形成されている。
【００４５】
電磁コイル９１は、第２部分９１２２において、配線８１と接続される。電磁コイル９１は第４部分９１３２において、負荷側端子４０と接続される。電磁コイル９１の配置については、後に詳述する。
【００４６】
可動磁気片９２は、一辺９２０と他辺９２１とを有する。可動磁気片９２は、後述する継鉄９４によって、ハウジング２０内部に保持される。一辺９２０は電磁コイル９１と第３壁部２０３との間に配置される。一辺９２０と他辺９２１とは角部９２２によって、機械的に接続されている。他辺９２１は角部９２２から、第１壁部２０１に沿って基台２１側へ延びている。
【００４７】
オイルダッシュポット９３は端面９３０を有する。オイルダッシュポット９３は、電磁コイル９１が作る内側面に沿うように、電磁コイル９１に挿入される。オイルダッシュポット９３は、後述する継鉄９４によって、ハウジング２０に固定されている。オイルダッシュポット内部には、オイルと、オイルダッシュポット９３内部を移動可能な鉄心とが収容されている。端面９３０は、一辺９２０に対向している。
【００４８】
継鉄９４は、その一端部がハウジング２０の第３壁部２０３における内壁面に取り付けられている。継鉄９４は、この取付位置からオイルダッシュポット９３に沿って、ハウジング２０の内部に延びている。継鉄９４は、可動磁気片９２を、角部９２２を軸として回転運動可能な状態に支持している。継鉄９４の他端部は負荷側端子座４１側に折り曲げられている。継鉄９４は、他端部において、オイルダッシュポット９３を保持する。
【００４９】
スプリング９５は、他辺９２１と第３壁部２０３との間に配置される。スプリング９５は、一辺９２０が端面９３０から離れるように、他辺９２１に弾性力を加える。スプリング９５は、他辺９２１を掛合片９６から離れた位置で保持している。
【００５０】
掛合片９６は、可動磁気片９２と押圧部材７１の間に配置されている。掛合片９６は、他辺９２１によって押されることで変位可能である。掛合片９６が変位すると、押圧部材７１がロック状態にある場合、ロック状態を解除することができる。ロック状態が解除されると、可動接触子５０が移動する。可動接触子５０の移動により、電源側端子３０と負荷側端子４０とを繋ぐ電路が遮断される。
【００５１】
本実施形態では、可動接触子５０、セパレータ６０、リンク機構（不図示）、押圧部材７１、電磁機構部９０が引外し機構を構成する。
【００５２】
続いて、主に図２を参照しながら、電磁コイル９１の配置について詳しく説明する。
【００５３】
回路遮断器１０は、複数の負荷側端子４０と、互いに同一形態の複数の電磁コイル９１を有している。複数の負荷側端子４０の端子配置方向であるｘ軸方向における、それぞれの負荷側端子４０の幅中心Ｌ１，Ｌ２，Ｌ３が一点鎖線で示されている。それぞれの電磁コイル９１における巻き線部分９１１の巻回中心Ｃ１，Ｃ２，Ｃ３が一点鎖線の交差点によって示されている。
【００５４】
それぞれの電磁コイル９１は、巻回中心Ｃ１，Ｃ２，Ｃ３が、コイル配列方向であるｘ軸方向において、幅中心Ｌ１，Ｌ２，Ｌ３よりも第６壁部２０６側にずれるように配置されている。
【００５５】
それぞれの電磁コイル９１を同じ方向にずらすことによって、第５壁部２０５に最も近い位置にある電磁コイル９１の機構側接続部９１２と、第５壁部２０５との間に接続作業を行うことができる空間が形成される。
【００５６】
それぞれの電磁コイル９１の機構側接続部９１２は、それぞれの電磁コイル９１のずらし方向であるｘ軸負方向とは反対側に配置されているため、第６壁部２０６側にずらした場合であっても、ハウジング２０との間に接続作業を行うことができる空間が確保される。
【００５７】
３つの電磁コイル９１のうち、ハウジング２０に最も近接して設けられている電磁コイルは、第６壁部２０６に最も近い電磁コイル９１である。この電磁コイル９１の機構側接続部９１２は、ハウジング２０から、巻回中心Ｃ３を挟んで、反対側に位置するように設けられている。この電磁コイル９１と、第６壁部２０６との間にも接続作業を行うことができる空間が確保されている。
【００５８】
機構側接続部９１２と端子側接続部９１３とは、ｚ軸方向、つまり巻回中心Ｃ１，Ｃ２，Ｃ３を見通す方向において重なるように設けられている。
【００５９】
図３に、機構側接続部９１２と端子側接続部９１３の位置関係を見やすくするため、回路遮断器１０の斜視図を示す。図３に示されるように、それぞれの電磁コイル９１は、第５壁部２０５及び第６壁部２０６との間や隣接する電磁コイル９１の間に接続作業を行うことができる空間が確保されている。
【００６０】
図４に示されるように、電磁コイル９１は、機構側接続部９１２と端子側接続部９１３が同形状である。機構側接続部９１２は、巻き線部分９１１から第１部分９１２１を延ばし、第２部分９１２２を曲げることで形成されている。端子側接続部９１３は、巻き線部分９１１から第３部分９１３１を延ばし、第４部分９１３２を曲げることで形成されている。
【００６１】
機構側接続部９１２の巻き線部分９１１からの立ち上がり方と、端子側接続部９１３の巻き線部分９１１からの立ち上がり方は同一となる。よって、機構側接続部９１２及び端子側接続部９１３は、巻き線部分９１１に対する相対的な姿勢が同じになっている。このため、電磁コイル９１は、機構側接続部９１２と端子側接続部９１３の上下を反転させ、反時計回りに９０度回転するように移動すると、図４と同様の状態となる。すなわち、電磁コイルの上下方向に対する方向性がなくなっている。
【００６２】
回路遮断器１０に電磁コイル９１を配置する場合、図４に示されるように、負荷側端子４０に対して、電磁コイル９１の第４部分９１３２を取り付ける。電磁コイル９１は、負荷側端子４０との接触面積が確保された状態で、取り付けられる。取り付け方法としては、例えば、スポット溶接による方法がある。
【００６３】
本実施形態に係る回路遮断器１０は、ハウジング２０と、ハウジング２０に配置される複数の電源側端子３０と、ハウジング２０に配置される複数の負荷側端子４０と、ハウジング２０に配置され、電源側端子３０と負荷側端子４０とを繋ぐ電路を遮断する引外し機構を駆動する電磁力を発生する複数の電磁コイル９１と、を備える。回路遮断器１０では、複数の電磁コイル９１における巻き線部分の巻回中心Ｃ１，Ｃ２，Ｃ３と、複数の電源側端子３０又は複数の負荷側端子４０が配置される方向におけるそれぞれの端子の幅中心Ｌ１，Ｌ２，Ｌ３と、を複数の電磁コイル９１が配列される方向において同じ側にずらして配置している。
【００６４】
複数の電磁コイル９１と複数の電源側端子３０又は複数の負荷側端子４０との位置関係を、巻回中心Ｃ１，Ｃ２，Ｃ３と幅中心Ｌ１，Ｌ２，Ｌ３とが同じ方向にずれるようにすることで、図２を参照しながら説明した状態となる。図２に示されるように、複数の電磁コイル９１で最も外側に配置されている電磁コイル９１の一方はハウジング２０の一方の側壁面である第６壁部２０６に近づき、他方はハウジング２０の他方の側壁面である第５壁部から離れる。ハウジング２０の一方の側壁面に近づく電磁コイル９１の引外し機構との接続部位である機構側接続部９１２を側壁面から離れた位置に設けることで、溶接といった組立作業を行うための空間を確保することができる。ハウジング２０の他方の側壁面から離れる電磁コイル９１は、ハウジング２０の一方の側壁面に近づく電磁コイル９１と同じものを用いるので、電磁コイル９１の引外し機構との接続部位である機構側接続部９１２はハウジング２０の他方の側壁面に対向するように配置される。しかしながら、この電磁コイル９１は側壁面から離れるように設けられることになるため、接続部位と側壁面との間に溶接といった組立作業を行うための空間を確保することができる。複数の電磁コイル９１と複数の電源側端子３０又は複数の負荷側端子４０との位置関係を工夫するといった簡単な手法で、電磁コイル９１の部品共通化を図りつつ回路遮断器１０の小型化も可能となり、回路遮断器１０を容易に組み立てることも可能となる。
【００６５】
本実施形態に係る回路遮断器１０においては、複数の電磁コイル９１は互いに同一の形態である。
【００６６】
複数の電磁コイル９１が互いに同一の形態であるとすることで、回路遮断器１０を組み立てる際に個々の電磁コイル９１を区別することなく取り扱うことができ、部品管理が容易なものとなる。複数の電磁コイル９１を互いに同一の形態としても、上記した複数の電磁コイル９１と複数の電源側端子３０又は複数の負荷側端子４０との位置関係を工夫することは阻害されず、同様の作用効果を奏することができる。
【００６７】
本実施形態に係る回路遮断器１０においては、複数の電磁コイル９１がそれぞれ、巻き線部分９１１の一端に繋がり、引外し機構と接続する機構側接続部９１２を有し、機構側接続部９１２は、複数の電磁コイル９１の中でハウジング２０に最も近接して設けられる電磁コイル９１において、ハウジング２０から巻回中心Ｃ３を挟んで反対側に位置するように設けられている。
【００６８】
ハウジング２０の側壁である第６壁部２０６に最も近接して設けられる電磁コイル９１において、機構側接続部９１２を巻回中心Ｃ３よりも第６壁部２０６から引き離して配置することができるので、十分な組み立てスペースを確保することができる。同一形態の電磁コイル９１を反対側の側壁である第５壁部２０５の近傍に配置する際には、機構側接続部９１２が第５壁部２０５に近い側に配置されることになるが、電磁コイル９１は第５壁部２０５から離隔することになるので、十分な組み立てスペースを確保することができる。
【００６９】
本実施形態に係る回路遮断器１０においては、機構側接続部９１２が、巻き線部分９１１の外周接線方向に延びる第１部分９１２１と、第１部分９１２１に繋がり巻回中心Ｃ１，Ｃ２，Ｃ３が延びる方向であるｚ軸方向に沿う第２部分９１２２と、を有する。
【００７０】
第１部分９１２１が巻き線部分９１１の外周接線方向に延びているので、第１部分９１２１は巻き線形成を止めることで簡便に形成することができる。第２部分９１２２は第１部分９１２１に繋がっているので、第１部分９１２１を形成してからその先端を折り曲げることで簡便に形成することができる。
【００７１】
本実施形態に係る回路遮断器１０においては、複数の電磁コイル９１はそれぞれ、複数の電源側端子３０又は複数の負荷側端子４０に繋がる端子側接続部９１３を有し、機構側接続部９１２と端子側接続部９１３とが、巻き線部分９１１の一端側と多端側とに設けられ、巻回中心Ｃ１，Ｃ２，Ｃ３を見通す方向において重なるように設けられている。
【００７２】
機構側接続部９１２と端子側接続部９１３とが、巻回中心Ｃ１，Ｃ２，Ｃ３を見通す方向において重なるように設けられているので、ずらし配置の場合に、端子側接続部９１３及び機構側接続部９１２を確実にハウジング２０の側壁から離して配置することができ、組み立てが容易になる。
【００７３】
本実施形態に係る回路遮断器１０においては、端子側接続部９１３は、巻き線部分９１１の外周接線方向に延びる第３部分９１３１と、第３部分９１３１に繋がり巻回中心Ｃ１，Ｃ２，Ｃ３が延びる方向であるｚ軸方向に沿う第４部分９１３２と、を有する。
【００７４】
第３部分９１３１が巻き線部分９１１の外周接線方向に延びているので、第３部分９１３１は巻き線形成を止めることで簡便に形成することができる。第４部分９１３２は第３部分９１３１に繋がっているので、第３部分９１３１を形成してからその先端を折り曲げることで簡便に形成することができる。更に、電磁コイル９１を電源側端子３０又は負荷側端子４０からずらすように配置した場合であっても、第４部分９１３２を設けることで、端子側接続部９１３と電源側端子３０又は負荷側端子４０との接触面積を確保することができる。接触面積を確保することで、端子側接続部９１３と電源側端子３０又は負荷側端子４０とを確実に接続することができる。
【００７５】
本実施形態に係る回路遮断器１０においては、機構側接続部９１２及び端子側接続部９１３は、巻き線部分９１１に対する相対的な形態が同じになるように形成される。
【００７６】
電磁コイルの両端の検査を同様の手順で行うことができ、部品検査の負担を軽減することができる。組み立ての際も、電磁コイル９１の方向性が無くなるので、より容易に回路遮断器１０を組み立てることができる。
【００７７】
なお、本実施形態では、それぞれの電磁コイル９１を第６壁部２０６の方向にずらしているが、ずらし方向を変更することもできる。例えば、ずらし方向を第５壁部２０５の方向とすることも考え得る。この場合は、機構側接続部９１２及び端子側接続部９１３を、第６壁部２０６側に設けることによって、本実施形態と同様に、組み立てのための空間を確保することができる。
【００７８】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００７９】
１０：回路遮断器
２０：ハウジング
４０：負荷側端子
８１：配線
９１：電磁コイル
Ｃ１，Ｃ２，Ｃ３：巻回中心
Ｌ１，Ｌ２，Ｌ３：幅中心
【図１】
2020123553.tif 000003
【図２】
2020123553.tif 000004
【図３】
2020123553.tif 000005
【図４】
2020123553.tif 000006